(57)【要約】【課題】記録ディスクが装着されるトレイをイジェクトピンの挿入によって強制的に排出させることが可能なディスク装置を提供する。【解決手段】挿入穴１０ｂに挿入されたイジェクトピン１ａが板ばね４０のカーブ４０ａを押圧することにより、板ばね４０の突部４０ｂの下端に接続された切替部４４の一端が押下され、切替部４４によって端子４１ａ及び端子４２ａが接続される。よって、スピンドルモータ３１にショートブレーキが加えられ、トレイに装着された光ディスクを停止させる。イジェクトピン１ａに押圧されたシフタは移動し、ローダに設けられたピンがシフタの誘導溝に沿って誘導され、ローダの屈曲部分が下方へ引き下げられることによってトレイ上に載置された光ディスクがスピンドルモータ３１及びクランパから取り外される。シフタの突部がトレイのガイド溝のカーブの外周面を押圧することによってトレイが装置本体から少し排出される。【選択図】図３
2008305528.tif 000002
【特許請求の範囲】
【請求項１】
記録ディスクの装着が可能なトレイと、イジェクトピンの挿入が可能な挿入穴と、該挿入穴に挿入されたイジェクトピンによって前記トレイを装置本体から排出する排出手段と、該トレイに装着された記録ディスクを回転させるモータとを備えるディスク装置において、
前記挿入穴にイジェクトピンが挿入された場合に前記モータの回転を停止させる停止手段を備えることを特徴とするディスク装置。
【請求項２】
前記停止手段は、前記モータの第１の端子及び第２の端子間を短絡させて前記モータの回転を停止させるように構成してあることを特徴とする請求項１に記載のディスク装置。
【請求項３】
前記モータを駆動させる駆動部を備え、
前記停止手段は、
前記モータの第１の端子及び前記駆動部の第１の端子に接続された第１端子と、
前記モータの第２の端子に接続された第２端子と、
前記駆動部の第２の端子に接続された第３端子と、
前記第２端子に一端が接続され、前記第１端子及び前記第３端子のそれぞれと他端との接続が切り替え可能な切替部と、
前記挿入穴に挿入されたイジェクトピンによって押圧されることにより、前記切替部の他端を、前記第１端子との接続から前記第３端子との接続に切り替える制御部とを有することを特徴とする請求項２に記載のディスク装置。
【発明の詳細な説明】
【技術分野】
【０００１】
本発明は、記録ディスクが装着されるトレイをイジェクトピンの挿入によって強制的に排出させることが可能なディスク装置に関するものである。
【背景技術】
【０００２】
ＣＤ−Ｒ、ＣＤ−ＲＷ、ＤＶＤ−Ｒ、ＤＶＤ−ＲＷ、ＤＶＤ＋ＲＷ、ＤＶＤ−ＲＯＭ、ＢＤ（Blu-ray Disc）等の光ディスク上にデータを記録し、光ディスクに記録してあるデータを再生するディスク装置が普及している（例えば、特許文献１を参照）。従来のディスク装置は、特許文献１に開示されているように、光ディスクが搭載されたトレイを装置内部に収納することによって、光ディスクを所定の記録再生位置へ挿入するように構成されている。また、従来のディスク装置は、光ディスクが搭載されたトレイを装置外部へ排出することによって、光ディスクを装置外部へ排出するように構成されている。
【０００３】
図４は従来のディスク装置の一般的な構成例を示す斜視図である。図４には従来のディスク装置６のトレイ７の周辺部分のみを図示しており、図４（ａ）にはトレイ７が装置本体６０に収納されている状態を、図４（ｂ）にはトレイ７が装置本体６０から排出されている状態をそれぞれ示している。なお、以下では、装置本体６０に対してトレイ７が排出及び収納される面をディスク装置６の正面とし、この正面を見て右側の側面を右側面として説明する。
【０００４】
従来のディスク装置６において、板状のトレイ７の下面の適宜位置には、矢符７ａで示す方向を形成方向としてラック歯７３が形成されている。ラック歯７３には、モータ６２によって回転するピニオン６１の周面に設けられたピニオン歯が噛合させてある。このような構成により、モータ６２の回転によってピニオン６１が回転し、この回転が、ピニオン６１のピニオン歯とラック歯７３との噛合部分においてラック歯７３の形成方向への移動に変換され、トレイ７が装置本体６０に対して矢符７ａで示す方向又はその逆方向へ移動される。
【０００５】
トレイ７の上面の中央には、光ディスクを載置するために円形断面を有する凹部７０が形成されている。凹部７０の底面中央には円形断面を有する貫通孔７１ａが設けられており、トレイ７の一側面から貫通孔７１ａに連なる切欠部７１が形成されている。また、凹部７０の底面には、貫通孔７１ａを隔てて切欠部７１に対向する位置を始点とし、貫通孔７１ａの周縁に沿った中心角が略９０度の円弧状のカーブと、このカーブに連なって、トレイ７の上面の長辺に平行に形成された直線部分とを含むガイド溝７２が設けられている。
【０００６】
トレイ７の下部には、矩形状のシフタ６３が、トレイ７の装置本体６０に対する排出方向に直交する矢符６ｂで示す方向及びその逆方向への移動が可能に設けられている。シフタ６３の上面の一端部には、円柱状の突部６４が鉛直方向に突設されている。突部６４は、図４（ａ）に示すようにトレイ７が装置本体６０に収納されている状態では、トレイ７のガイド溝７２のカーブ側の端部に挿入されて配置される。シフタ６３には、ディスク装置６の正面側の側面から、トレイ７の装置本体６０に対する収納方向に向かって誘導溝６３ａが貫通して穿設されている。
【０００７】
トレイ７の下部には、トレイ７の貫通孔７１ａ及び切欠部７１を覆う大きさの板状のローダ８が、トレイ７に対して略平行に設けられている。ローダ８は、トレイ７の装置本体６０に対する収納方向側の一側面に設けられた揺動軸８０を中心として揺動可能に軸支されており、揺動端は下方に向かって直角に屈曲されている。ローダ８の屈曲部分は、シフタ６３に当接する位置に配置されており、屈曲部分のディスク装置６の正面側の側面の所定位置には、円柱状のピン８３が、トレイ７の装置本体６０に対する排出方向に突設されている。ピン８３は、図４（ａ）に示すようにトレイ７が装置本体６０に収納されている状態では、シフタ８３の誘導溝６３ａの上端部に挿入されて配置される。
【０００８】
ローダ８の上面には、図４（ａ）に示すようにトレイ７が装置本体６０に収納されている状態でトレイ７の貫通孔７１ａに対向する位置に、トレイ７上に載置された光ディスクを回転させるためのスピンドルモータ８１が設けられており、スピンドルモータ８１の上部に、スピンドルモータ８１と光ディスクとを固定するためのクランパ８２が設けられている。なお、スピンドルモータ８１及びクランパ８２は、トレイ７が装置本体６０から排出される場合、切欠部７１に対向する位置に配置されるので、トレイ７の移動を妨げることがない。
【０００９】
特許文献１に開示されているように、従来のディスク装置６には、装置本体６０に対してトレイ７を出し入れするためのボタン（図示せず）が設けられている。図４（ａ）に示すようにトレイ７が装置本体６０に収納されている状態でユーザによってボタンが操作された場合、例えばＣＰＵ（Central Processing Unit ）を利用した制御部が、スピンドルモータ８１を駆動させるスピンドルモータ駆動回路を制御してスピンドルモータ８１を停止させ、トレイ７に装着された光ディスクの回転を停止させる。そして、制御部は、モータ６２を駆動させるモータ駆動回路を制御してモータ６２を回転させ、ピニオン６１を図４（ａ）において右側面視で反時計回りに回転させる。
【００１０】
これにより、トレイ７が装置本体６０から排出される方向に移動し、このように移動するトレイ７のガイド溝７２に沿ってシフタ６３の突部６４がシフタ６３と共に矢符６ｂに示す方向に移動する。シフタ６３が矢符６ｂで示す方向へ移動した場合、ローダ８に設けられたピン８３が、シフタ６３の誘導溝６３ａの上端から下端へ誘導され、ローダ８が、揺動軸８０を中心に、誘導溝６３ａの上端と下端との鉛直方向の差の分だけ下方へ引き下げられ、トレイ７上に載置された光ディスクがスピンドルモータ８１及びクランパ８２から取り外される。制御部は、ピニオン６１がラック歯７３の他端へ移動するまでモータ６２を回転させ、トレイ７を装置本体６０から排出させる。
【００１１】
一方、図４（ｂ）に示すようにトレイ２が装置本体１０から排出されている状態でユーザによってボタンが操作された場合、制御部が、モータ６２を駆動させるモータ駆動回路を制御してモータ６２を回転させ、ピニオン６１を図４（ａ）において右側面視で時計回りに回転させる。制御部は、ピニオン６１がラック歯７３の他端へ移動するまでモータ６２を回転させ、トレイ７を装置本体６０へ収納させる。
【００１２】
トレイ７が装置本体６０へ収納されると共に、トレイ７のガイド溝７２に沿ってシフタ６３の突部６４がシフタ６３と共に矢符６ｂに示す方向の逆方向に移動する。シフタ６３が矢符６ｂで示す方向の逆方向へ移動した場合、ローダ８に設けられたピン８３が、シフタ６３の誘導溝６３ａの下端から上端へ誘導され、ローダ８が、揺動軸８０を中心に、誘導溝６３ａの下端と上端との鉛直方向の差の分だけ上方へ引き上げられ、トレイ７上に載置された光ディスクにクランパ８２によってスピンドルモータ８１が固定される。
【００１３】
上述した構成のディスク装置において何らかの不具合が発生し、制御部が正常に動作しない状況となった場合、制御部が上述したような処理を行なうことができないので、制御部による処理によっては光ディスクを装置本体６０から排出することができない。ここで、装置本体６０の右側面には、イジェクトピン６ａが挿入される挿入口６０ａが設けられており、装置本体６０の右側には、挿入口６０ａから挿入されたイジェクトピン６ａが挿通される挿入穴６０ｂが設けられている。
【００１４】
ユーザがイジェクトピン６ａを挿入口６０ａから挿入し、挿入穴６０ｂに沿って挿入されたイジェクトピン６ａによってシフタ６３を押圧し、シフタ６３を矢符６ｂに示す方向へ強制的に移動させる。イジェクトピン６ａによってシフタ６３を矢符６ｂに示す方向に押圧することにより、ローダ８に設けられたピン８３が、シフタ６３の誘導溝６３ａの上端から下端へ誘導され、ローダ８が、揺動軸８０を中心に、誘導溝６３ａの上端と下端との鉛直方向の差の分だけ下方へ引き下げられる。よって、トレイ７上に載置された光ディスクがスピンドルモータ８１及びクランパ８２から取り外される。
【００１５】
また、イジェクトピン６ａによってシフタ６３を矢符６ｂに示す方向に押圧することにより、シフタ６３の突部６４がトレイ７のガイド溝７２のカーブの外周面を矢符６ｂに示す方向に押圧する。これにより、ガイド溝７２のカーブの外周面には、トレイ７を装置本体６０から排出させる方向の力が加わり、トレイ７が装置本体６０から少し排出される。これにより、ユーザは、装置本体６０から少し排出されたトレイ７を手動で装置本体６０から強制的に排出させることができる。
【００１６】
このように、従来のディスク装置では、制御部によってトレイ７の装置本体６０からの排出処理が実行できない状態であっても、ユーザがイジェクトピン６ａを挿入口６０ａから挿入し、手動でトレイ７を装置本体６０から引き出すことによって、装置本体６０に装着された光ディスクを強制的に排出することができる。
【特許文献１】特開２００４−１７１７０３号公報
【発明の開示】
【発明が解決しようとする課題】
【００１７】
しかし、上述したようにイジェクトピン６ａを挿入口６０ａから挿入してトレイ７を装置本体６０から強制的に排出する一連の操作は、機械的に行なわれるため、ディスク装置６の電気的な回路とは一切関わっていない。従って、イジェクトピン６ａを挿入してトレイ７を装置本体６０から強制的に排出させる場合、スピンドルモータ８１は光ディスクの回転を停止させないので、光ディスクが回転したままトレイ７が装置本体６０から排出されることになり、装置本体６０から排出されたトレイ７上でしばらく回転し続ける。そのため、光ディスクの表面に傷をつけてしまう虞があるという問題を有する。
【００１８】
本発明は斯かる事情に鑑みてなされたものであり、その目的とするところは、記録ディスクが装着されるトレイを装置本体から機械的に排出させる際に、記録ディスクに傷をつけずに排出することが可能なディスク装置を提供することにある。
【課題を解決するための手段】
【００１９】
本発明に係るディスク装置は、記録ディスクの装着が可能なトレイを装置本体から排出させるためにイジェクトピンが挿入穴に挿入された場合に、記録ディスクを回転させるモータの回転を停止させる。
【発明の効果】
【００２０】
本発明では、イジェクトピンを挿入穴から挿入して記録ディスクを強制的に排出させる場合に、イジェクトピンが挿入穴に挿入された時点で記録ディスクの回転を停止させるので、トレイが装置本体から機械的に排出させる際に早期に記録ディスクの回転を停止させることができる。
【発明を実施するための最良の形態】
【００２１】
以下に、本発明に係るディスク装置を、その実施形態である光ディスク装置を示す図面に基づいて詳述する。図１及び図２は本発明に係るディスク装置の構成例を示す斜視図である。図１及び図２には本実施形態の光ディスク装置１のトレイ２の周辺部分のみを図示しており、図１にはトレイ２が装置本体１０に収納されている状態を、図２にはトレイ２が装置本体１０から排出されている状態をそれぞれ示している。なお、以下の実施形態では、装置本体１０に対してトレイ２が排出及び収納される面を光ディスク装置１の正面とし、この正面を見て右側の側面を右側面として説明する。
【００２２】
本実施形態では、例えばレーザ光（光ビーム）により光ディスク（記録ディスク）にデータの記録再生処理を行なう光ディスク装置１を例として説明する。但し、本発明は、レーザ光を用いて記録ディスクにデータを記録再生するものであればよい。例えば、レーザ光と磁気ヘッドからの磁界とにより光磁気ディスクにデータを記録再生する光磁気ディスク記録再生装置にも本発明を適用することができる。従って、記録ディスクとしては、ＣＤ、ＤＶＤ、ＢＤ等の光ディスク、ＭＯ等の光磁気ディスクを用いることができる。
【００２３】
本実施形態の光ディスク装置１において、矩形の板状のトレイ２には下面に、一長辺に沿って矢符２ａで示す方向を形成方向としてラック歯２３が形成されている。ラック歯２３には、モータ１２によって回転するピニオン１１の周面に設けられたピニオン歯が噛合させてある。なお、モータ１２は、図示しないモータ駆動回路によって駆動される。このような構成により、モータ１２の回転によってピニオン１１が回転し、この回転が、ピニオン１１のピニオン歯とラック歯２３との噛合部分においてラック歯２３の形成方向への移動に変換され、ラック歯２３が形成されたトレイ２が装置本体１０に対して矢符２ａで示す方向又はその逆方向へ移動する。
【００２４】
なお、図１に示すようにトレイ２が装置本体１０に収納されている状態で、モータ１２が、ピニオン１１を図１において右側面視で反時計回りに回転させた場合、ラック歯２３が矢符２ａで示す方向へ移動するので、トレイ２が矢符２ａで示す方向へ移動し、装置本体１０からトレイ２を排出させることができる。また、図２に示すようにトレイ２が装置本体１０から排出されている状態で、モータ１２が、ピニオン１１を図２において右側面視で時計回りに回転させた場合、ラック歯２３が矢符２ａで示す方向の逆方向へ移動するので、トレイ２が矢符２ａで示す方向の逆方向へ移動し、装置本体１０にトレイ２を収納させることができる。
【００２５】
トレイ２には上面の中央に、光ディスクを載置するために、トレイ２の上面の短辺よりも長く、長辺よりも短い直径の円形断面を有する凹部２０が形成されている。凹部２０の底面中央には円形断面を有する貫通孔２１ａが設けられている。また、トレイ２には、トレイ２の上面の短辺を含む側面のうちの、装置本体１０内部側の側面から貫通孔２１ａに連なる切欠部２１が形成されている。
【００２６】
更に、凹部２０の底面には、貫通孔２１ａを隔てて切欠部２１に対向する位置を始点とし、図１において上面視で時計回りに貫通孔２１ａの周縁に沿った中心角が略９０度の円弧状のカーブと、このカーブに連なって、トレイ２の上面の長辺に平行に形成された直線部分とを含むガイド溝２２が設けられている。なお、ガイド溝２２には後述する円柱状の突部１４が挿入されてガイド溝２２に沿って移動するので、ガイド溝２２は、突部１４の外径と略同じ幅に形成されている。
【００２７】
トレイ２の下部には、ガイド溝２２のカーブ側の端部の下方に、矩形の板状のシフタ１３が、トレイ２の装置本体１０に対する排出方向（矢符２ａで示す方向）に直交する矢符１ｂで示す方向及びその逆方向への移動が可能に設けられている。図１に示すようにトレイ２が装置本体１０に収納されている状態では、シフタ１３は、移動可能な範囲内において、図１，２において正面視で右端の位置に配置され、図２に示すようにトレイ２が装置本体１０から排出されている状態では、シフタ１３は、移動可能な範囲内において、図１，２において正面視で左端の位置に配置される。なお、シフタ１３が移動できる距離は、ガイド溝２２の両端部間の矢符１ｂで示す方向の距離に略等しい。
【００２８】
シフタ１３の上面には、図１において正面視で左端部に円柱状の突部１４が鉛直上方向に突設されている。また、シフタ１３には、トレイ２の装置本体１０に対する排出方向（矢符２ａで示す方向）に誘導溝１３ａが貫通して穿設されている。誘導溝１３ａは、図１において正面視で左端部を上端部とし、左端部から略右方向へ所定長さに形成された上方の直線部分と、この直線部分の他端部で右斜め下方向へ屈曲し、屈曲部から所定長さに形成された傾斜部分と、この傾斜部分の他端部で略右方向へ屈曲し、屈曲部から所定長さに形成された下方の直線部分とを有する。
【００２９】
シフタ１３は、図１に示すようにトレイ２が装置本体１０に収納されている状態では、突部１４をトレイ２のガイド溝２２のカーブ側の端部に挿入して配置され、図２に示すようにトレイ２が装置本体１０から排出されている状態では、突部１４をトレイ２のガイド溝２２の直線部分側の端部に挿入して配置される。なお、誘導溝１３ａの両端部間の矢符１ｂで示す方向の距離は、シフタ１３が移動できる距離、即ち、ガイド溝２２の両端部間の矢符１ｂで示す方向の距離に略等しい。また、誘導溝１３ａには後述する円柱状のピン３３が挿入されて誘導溝１３ａに沿って移動するので、誘導溝１３ａは、ピン３３の外径と略同じ幅に形成されている。
【００３０】
トレイ２の下部には、シフタ１３に対して装置本体１０の内部側に、トレイ２の貫通孔２１ａ及び切欠部２１を覆う大きさの矩形の板状のローダ３が、トレイ２に対して略平行に設けられている。ローダ３は、トレイ２の装置本体１０に対する収納方向側の一側面に設けられた揺動軸３０を中心として揺動可能に軸支されており、揺動端は下方に向かって直角に屈曲されている。ローダ３の屈曲部分は、シフタ１３に当接する位置に配置されており、屈曲部分の光ディスク装置１の正面側の側面の所定位置には、円柱状のピン３３が、トレイ２の装置本体１０に対する排出方向に突設されている。ピン３３は、図１に示すようにトレイ２が装置本体１０に収納されている状態では、シフタ１３の誘導溝１３ａの上端部に挿入されて配置され、図２に示すようにトレイ２が装置本体１０から排出されている状態では、シフタ１３の誘導溝１３ａの下端部に挿入されて配置される。
【００３１】
ローダ３の上面には、図１に示すようにトレイ２が装置本体１０に収納されている状態でトレイ２の貫通孔２１ａに対向する位置に、トレイ２上に載置された光ディスクを回転させるためのスピンドルモータ３１が設けられており、スピンドルモータ３１の上部に、スピンドルモータ３１と光ディスクとを固定するためのクランパ３２が設けられている。なお、スピンドルモータ３１及びクランパ３２は、トレイ２が装置本体２０から排出される場合、切欠部２１に対向する位置に配置されるので、トレイ２の移動を妨げることがない。
【００３２】
装置本体１０の右側面には、イジェクトピン１ａが挿入される挿入口１０ａが設けられており、装置本体１０の右側には、挿入口１０ａから挿入されたイジェクトピン１ａが挿通される挿入穴１０ｂが設けられている。挿入口１０ａから挿入されたイジェクトピン１ａは、挿入穴１０ｂを挿通された後、トレイ２の下部を通過し、図１において正面視でシフタ１３の右側面に当接する。なお、挿入口１０ａ及び挿入穴１０ｂには、トレイ２を装置本体１０から機械的に且つ強制的に排出させる場合にイジェクトピン１ａが挿入される。従って、挿入穴１０ｂは、イジェクトピン１ａの長さよりも短い長さに形成されている。
【００３３】
装置本体１０の内部には、挿入穴１０ｂの適宜箇所の直下に筺状のスイッチ４が設けられている。図３はスイッチ４の構成例を示すブロック図である。なお、図３（ａ）にはイジェクトピン１ａが挿入穴１０ｂに挿入されていない状態を、図３（ｂ）にはイジェクトピン１ａが挿入穴１０ｂに挿入されている状態をそれぞれ示している。また、図３には、図１において光ディスク装置１の正面からスイッチ４を見た図を示している。
【００３４】
スイッチ４の上面には、図３において右端部に一端が取り付けられた板ばね４０が、他端を上方向に付勢して設けられている。板ばね４０は、スイッチ４の上面の取り付け位置から左斜め上方向に延設されており、板ばね４０の延設端部分は、適宜位置で鉛直方向上向きに屈曲され、この屈曲位置から鉛直上方向に湾曲されて半円弧状のカーブ４０ａが形成されている。また、板ばね４０には、カーブ４０ａが形成される屈曲位置から鉛直下向きに板状の突部４０ｂが突設されている。スイッチ４は、挿入穴１０ｂにイジェクトピン１ａが挿通された場合に、イジェクトピン１ａによって板ばね４０を押圧できるように、板ばね４０が挿入穴１０ｂを遮る位置に配置されている。このような板ばね４０は、スイッチ４の上面の取り付け位置を支点とし、イジェクトピン１ａによる押圧位置を力点とし、カーブ４０ａが形成される屈曲位置を作用点とし、作用点が鉛直方向への移動が可能に構成されている。
【００３５】
このように、板ばね４０が挿入穴１０ｂを遮って配置されていることにより、挿入穴１０ｂにイジェクトピン１ａが挿入された場合、イジェクトピン１ａによって板ばね４０のカーブ４０ａに鉛直方向下向きの力が加わり、板ばね４０のスイッチ４の上面の取り付け位置を中心として、カーブ４０ａが鉛直方向下向きに移動し、図３（ｂ）に示す状態となる。また、イジェクトピン１ａが挿入穴１０ｂから排出された場合、板ばね４０は付勢力によって図３（ａ）に示す状態に戻る。
【００３６】
スイッチ４の下面には、３つの端子４１，４２，４３が設けられている。第１端子４１は、スピンドルモータ３１の第１の端子（例えば、プラス端子）と、スピンドルモータ３１を駆動させるスピンドルモータ駆動回路（駆動部）３１ａの第１の端子（例えば、プラス端子）とに接続されている。第２端子４２は、スピンドルモータ３１の第２の端子（例えば、マイナス端子）に接続されている。第３端子４３は、スピンドルモータ駆動回路３１ａの第２の端子（例えば、マイナス端子）に接続されている。
【００３７】
スイッチ４の内部には、配線を介して第２端子４２に接続された端子４２ａに一端が接続され、板ばね４０の突部４０ｂの下端に他端が接続された板状の切替部４４が設けられている。図３（ａ）に示すようにイジェクトピン１ａが挿入穴１０ｂに挿入されていない状態では、切替部４４の上面が、端子４２ａと板ばね４０の突部４０ｂの下端との間において、配線を介して第３端子４３に接続された端子４３ａに当接されている。即ち、切替部４４は、第２端子４２と第３端子４３とを接続している。
【００３８】
図３（ｂ）に示すようにイジェクトピン１ａが挿入穴１０ｂに挿入された状態では、上述したように、板ばね４０の作用点が鉛直下方向に移動するので、切替部４４の下面が、端子４２ａと板ばね４０の突部４０ｂの下端との間において、配線を介して第１端子４１に接続された端子４１ａに当接される。即ち、切替部４４は、第２端子４２と第１端子４１とを接続する。このように、板ばね４０は、挿入穴１０ｂに挿入されたイジェクトピン１ａによって押圧されることにより、突部４０ｂの下端に接続された切替部４４の他端を、端子４３ａとの接続から端子４１ａとの接続に切り替える制御部として動作する。
【００３９】
スピンドルモータ３１を駆動させるスピンドルモータ駆動回路３１ａは、光ディスク装置１の全体を制御するコントロール回路１５に接続されており、コントロール回路１５によって制御されている。なお、コントロール回路１５は、図示しないが、ピニオン１１を回転させるモータ１２を回転させるモータ駆動回路にも接続され、モータ駆動回路も制御する。
【００４０】
スイッチ４において、図３（ａ）に示すように、イジェクトピン１ａが挿入穴１０ｂに挿入されていない場合、即ち通常時では、切替部４４は端子４２ａ及び端子４３ａ、即ち第２端子４２及び第３端子４３を接続しており、これにより、スピンドルモータ３１と、スピンドルモータ駆動回路３１ａとが接続される。従って、この場合、コントロール回路１５からの指示に従って、スピンドルモータ駆動回路３１ａは、スピンドルモータ３１の回転を制御することができる。
【００４１】
図３（ｂ）に示すように、イジェクトピン１ａが挿入穴１０ｂに挿入された場合、即ち、ユーザがイジェクトピン１ａによってトレイ２を装置本体１０から強制的に排出させようとした場合、切替部４４は、イジェクトピン１ａによって押下された板ばね４０の突部４０ｂに押下され、切替部４４の下面が端子４１ａに当接され、端子４１ａ及び端子４２ａを接続する。即ち、第１端子４１及び第２端子４２が接続される。これにより、スピンドルモータ３１の両端子間が接続され、スピンドルモータ３１の端子間がショート（短絡）する。この場合、コントロール回路１５からの指示に拘わらず、スピンドルモータ３１にショートブレーキを加えることになるので、スピンドルモータ３１を停止させることができる。
【００４２】
本実施形態の光ディスク装置１には、装置本体１０に対してトレイ２を出し入れするためのボタン（図示せず）が設けられている。図１に示すようにトレイ２が装置本体１０に収納されている状態でユーザによってボタンが操作された場合、コントロール回路１５は、スピンドルモータ駆動回路３１ａを制御してスピンドルモータ３１を停止させる。これにより、トレイ２に装着された光ディスクが停止する。そして、コントロール回路１５は、モータ１２を駆動させるモータ駆動回路を制御してモータ１２を回転させ、ピニオン１１を図１において右側面視で反時計回りに回転させる。
【００４３】
これにより、トレイ２が装置本体１０から排出される方向に移動し、このように移動するトレイ２のガイド溝２２に沿ってシフタ１３の突部１４がシフタ１３と共に矢符１ｂに示す方向へ移動する。シフタ１３が矢符１ｂで示す方向へ移動した場合、ローダ３に設けられたピン３３が、シフタ１３の誘導溝１３ａの上端から下端へ誘導される。これにより、ローダ３のピン３３が設けられた屈曲部分が、揺動軸３０を中心に、誘導溝１３ａの上端と下端との鉛直方向の差の分だけ下方へ引き下げられ、トレイ２上に載置された光ディスクがスピンドルモータ３１及びクランパ３２から取り外される。
【００４４】
コントロール回路１５は、ピニオン１１が、ラック歯２３の一端、具体的には、図１において右側面視でラック歯２３の右端から他端（左端）へ移動するまでモータ１２を回転させ、トレイ２を装置本体１０から排出させる。なお、トレイ２が装置本体１０から排出されるとき、シフタ１３に設けられた突部１４は、トレイ２のガイド溝２２に沿って、ガイド溝２２の一端から他端まで移動するので、トレイ２の移動を妨げない。
【００４５】
一方、図２に示すようにトレイ２が装置本体１０から排出されている状態でユーザによってボタンが操作された場合、コントロール回路１５は、モータ１２を回転させるモータ駆動回路を制御してモータ１２を回転させ、ピニオン１１を図１において右側面視で時計回りに回転させる。コントロール回路１５は、ピニオン１１が、ラック歯２３の一端、具体的には、図１において右側面視でラック歯２３の左端から他端（右端）へ移動するまでモータ１２を回転させ、トレイ２を装置本体１０へ収納させる。
【００４６】
これにより、トレイ２が装置本体１０に収納される方向に移動し、このように移動するトレイ２のガイド溝２２のカーブに沿ってシフタ１３の突部１４がシフタ１３と共に矢符１ｂに示す方向の逆方向へ移動する。シフタ１３が矢符１ｂで示す方向の逆方向へ移動した場合、ローダ３に設けられたピン３３が、シフタ１３の誘導溝１３ａの下端から上端へ誘導される。これにより、ローダ３のピン３３が設けられた屈曲部分が、揺動軸３０を中心に、誘導溝１３ａの下端と上端との鉛直方向の差の分だけ上方へ引き上げられ、トレイ２上に載置された光ディスクが、クランパ３２によってスピンドルモータ３１に固定される。
【００４７】
上述した構成の光ディスク装置１において何らかの不具合が発生し、コントロール回路１５が正常に動作しない状況となった場合、コントロール回路１５による処理によってはトレイ２を装置本体１０から排出させることができない。この場合、ユーザはイジェクトピン１ａを挿入口１０ａから挿入し、挿入穴１０ｂに沿って挿入されたイジェクトピン１ａによってシフタ１３を押圧し、シフタ１３を矢符１ｂに示す方向へ強制的に移動させる。
【００４８】
イジェクトピン１ａが挿入穴１０ｂに挿入された場合、イジェクトピン１ａによってスイッチ４の板ばね４０が鉛直下向きに押圧される。これにより、板ばね４０の突部４０ｂに接続された切替部４４の一端が、板ばね４０の突部４０ｂによって押下され、切替部４４の下面が端子４１ａに当接される。よって、端子４１ａ及び端子４２ａが接続され、これにより、スピンドルモータ３１の両端子間をショートさせることができる。即ち、イジェクトピン１ａが挿入穴１０ｂに挿入された場合、スイッチ（停止手段）４は、スピンドルモータ３１にショートブレーキを加えて強制的に停止させ、トレイ２に装着された光ディスクを停止させることができる。
【００４９】
板ばね４０を押下したイジェクトピン１ａは、シフタ１３を押圧して矢符１ｂに示す方向へ強制的に移動させ、これにより、ローダ３に設けられたピン３３が、シフタ１３の誘導溝１３ａの上端から下端へ誘導され、ローダ３のピン３３が設けられた屈曲部分が、揺動軸３０を中心に、誘導溝１３ａの上端と下端との鉛直方向の差の分だけ下方へ引き下げられる。よって、トレイ２上に載置された光ディスクがスピンドルモータ３１及びクランパ３２から取り外される。
【００５０】
また、イジェクトピン１ａによってシフタ１３を矢符１ｂに示す方向に押圧することにより、シフタ１３の突部１４がトレイ２のガイド溝２２のカーブの外周面を矢符１ｂに示す方向に押圧する。これにより、ガイド溝２２のカーブの外周面には、矢符１ｂに示す方向の力と、トレイ２を装置本体１０から排出させる方向の力とが加わり、トレイ２が装置本体１０から少し排出される。その後、ユーザは、装置本体１０から少し排出されたトレイ２を手動で装置本体１０から強制的に排出させることができる。
【００５１】
このように、本実施形態の光ディスク装置１では、コントロール回路１５によってトレイ２の装置本体１０からの排出処理が実行できない状態であっても、ユーザがイジェクトピン１ａを挿入穴１０ｂに挿入すると共に、手動でトレイ２を装置本体１０から強制的に引き出すことができる。また、トレイ２を強制的に引き出す際に、スイッチ４によってスピンドルモータ３１にショートブレーキを加えることにより、スピンドルモータ３１によって回転する光ディスクの回転を停止させることができる。従って、トレイ２を強制的に装置本体１０から引き出す場合であっても、トレイ２に装着された光ディスクの回転を早期に停止させることができるので、光ディスクの表面に傷をつけることがない。
【００５２】
上述したように、本実施形態では、挿入穴１０ｂに挿入されたイジェクトピン１ａによってスイッチ４の板ばね４０が押下された場合、切替部４４が、第２端子４２及び第３端子４３を接続している状態から、第１端子４１及び第２端子４２を接続する状態へ切り替えることにより、スピンドルモータ３１の両端子間をショートさせ、光ディスクの回転を強制的に停止させる構成について説明した。
【００５３】
しかし、例えば、イジェクトピン１ａの挿入穴１０ｂへの挿入を検知する手段を備え、イジェクトピン１ａの挿入穴１０ｂへの挿入を検知した場合に、制御回路によってスピンドルモータ３１の両端子間をショートさせるように構成することもできる。なお、イジェクトピン１ａが挿入穴１０ｂに挿入される場合は、コントロール回路１５による制御が正常に行なうことができなくなっている状況であるので、スピンドルモータ３１の両端子間をショートさせる制御回路を、コントロール回路１５とは異なる制御系で動作させる必要がある。
【００５４】
上述した実施形態では、スイッチ４は、板ばね４０のカーブ４０ａ側の端部が鉛直方向へ移動可能に構成されており、板ばね４０に設けられた突部４０ｂがイジェクトピン１ａによって押下されることにより、切替部４４による切替処理を行なう構成について説明した。しかし、例えば、板ばね４０を、スイッチ４の一側面に一端を取り付け、板ばね４０に設けられた突部４０ｂが水平方向へ移動可能に構成してもよい。この場合、板ばね４０の突部４０ｂがイジェクトピン１ａによって水平方向に押圧されることにより、切替部４４が切替処理を行なえるように構成すればよい。
【図面の簡単な説明】
【００５５】
【図１】本発明に係るディスク装置の構成例を示す斜視図である。
【図２】本発明に係るディスク装置の構成例を示す斜視図である。
【図３】スイッチの構成例を示すブロック図である。
【図４】従来のディスク装置の一般的な構成例を示す斜視図である。
【符号の説明】
【００５６】
１  光ディスク装置（ディスク装置）
２  トレイ
４  スイッチ
１０ｂ  挿入穴
３１  スピンドルモータ（モータ）
３１ａ  スピンドルモータ駆動回路（駆動部）
【図１】
2008305528.tif 000003
【図２】
2008305528.tif 000004
【図３】
2008305528.tif 000005
【図４】
2008305528.tif 000006